(57)【要約】【課題】鍋に入れた調理物の重量を検知する機能を有する炊飯器において、米量算出忘れによる水量の目安の表示不能を回避する炊飯器を提供する。【解決手段】炊飯器本体１０内の鍋１２の着脱を鍋検知手段２０４により検知し、鍋１２および鍋１２内の調理物の重量を重量検知手段４０により検知し、米量の算出を要求する要求手段２０８からの信号入力による第１のタイミングで、算出手段２０６により重量検知手段４０の出力信号より米量を算出し、第１のタイミングより後に入力した重量検知手段４０の出力信号より米量に最適な水量の目安を算出し、算出した米量やその米量に最適な水量の目安を表示手段２０７により表示し、報知手段２０９により報知を行う。報知手段２０９は、第１のタイミングより前に鍋検知手段２０４により鍋１２を炊飯器本体１０内から抜き取られる第２のタイミングを検知したとき報知するよう構成する。【選択図】図１
2007313183.tif 000002
【特許請求の範囲】
【請求項１】
上面が開口した炊飯器本体と、前記炊飯器本体内に着脱自在に収納される鍋と、前記炊飯器本体を開閉自在に覆う蓋と、前記鍋を加熱する加熱手段と、前記加熱手段の通電を制御する制御手段と、前記炊飯器本体内の前記鍋の着脱を検知する鍋検知手段と、前記鍋および鍋内の調理物の重量を検知する重量検知手段と、米量の算出を要求する要求手段と、前記要求手段からの信号入力による第１のタイミングで前記重量検知手段の出力信号より米量を算出し、また前記第１のタイミングより後に入力した前記重量検知手段の出力信号より前記第１のタイミングで算出した米量に最適な水量の目安を算出する算出手段と、前記算出手段が算出した米量やその米量に最適な水量の目安を表示する表示手段と、前記鍋検知手段と前記要求手段からの信号を受け報知を行う報知手段とを備え、前記報知手段は、前記第１のタイミングより前に前記鍋検知手段により前記鍋を前記炊飯器本体内から抜き取られる第２のタイミングを検知したとき報知するよう構成した炊飯器。
【請求項２】
鍋検知手段は、重量検知手段の出力信号からの重量と所定値とを比較することにより鍋の着脱を判定する鍋重量判定手段で構成した請求項１記載の炊飯器。
【請求項３】
算出手段は、第１のタイミングより前に第２のタイミングを検知したとき、要求手段からの信号入力がなくとも、第２のタイミングの直前の重量検知手段の出力信号より米量を算出するようにした請求項１記載の炊飯器。
【発明の詳細な説明】
【技術分野】
【０００１】
本発明は、鍋に入れた調理物の重量を検知する機能を有する炊飯器に関するものである。
【背景技術】
【０００２】
従来、この種の炊飯器は、鍋下方に重量を検出する重量検出手段を備え、この重量検出手段により鍋内の米量を検出し、表示するようにしている（例えば、特許文献１参照）。
【０００３】
さらに米量を表示した後に、引き続き重量検出手段で検出する重量により、米量に対して最適な水量の目安を表示するようにしている。
【０００４】
使用者は、まず中に何も入れていない空の鍋（以下、空鍋という）を炊飯器本体内にセットし、この空鍋の重量検出手段からの出力を記憶する。続いて、鍋内に米を入れ、さらに米量の算出を要求する米計量スイッチを操作することで、このときの重量検出手段の出力を読み、この出力値からメモリに記憶している空鍋時の出力値の差をとることで、米のみの重量値を知ることができる。
【０００５】
例えば、空鍋の重量を６００ｇとし、その状態から米を入れた状態の重量が９００ｇとすると、その差は３００ｇであり、それが米の重量ということになる。米１カップは約１５０ｇなので、検出した米重量から１５０ｇを割ることでカップ数を知ることができる。この場合３００ｇなので、２カップであり、それを表示部に表示することで、使用者は鍋内に入れた米量が２カップであることを認知できる。
【０００６】
米計量スイッチを操作し米量を算出した後は、その米量に対して最適な水量を算出し、使用者が水を鍋内に足していき、その最適な水量に近づいたとき、その目安を示すランプを点灯するようにしている。例えば、２カップに対して、最適な標準水量が４５０ｇであるとするとき、重量が３００＋４５０＝７５０ｇになったとき「標準」のランプを点灯させ、その重量を中心に例えば水が１０ｇ少なければ「かため」のランプを、水が１０ｇ多ければ「やわらかめ」のランプを点灯するようにしている。
【０００７】
ここで、炊飯器と鍋とはセットで販売されているので、空鍋の重量値のメモリへの記憶は一度行うだけで良い。二度目からは鍋内に直接米をセットした状態でも、米量は検出できる。さらに工場出荷時に予め記憶しておくことで、使用者は空鍋の重量値の記憶の手間を省くことができる。
【０００８】
よって、使用者は鍋に所望の米を入れ、米計量スイッチを操作するだけで、米量を知ることができ、その操作の後に水を入れていくと、米量に対する最適な水量の目安を知ることができる。
【特許文献１】特開２００５−２１８６５３号公報
【発明の開示】
【発明が解決しようとする課題】
【０００９】
しかしながら上記従来の構成では、使用者が鍋に所望の米を入れたとき、米計量スイッチの操作を忘れると、重量検出手段の出力から米量を算出することができず、結果そのあとの米量に対する最適な水量の目安を表示することができない。一般に、鍋内に米を入れた後は、使用者は一旦炊飯器本体から鍋を取り去り、洗米を行う。洗米後、鍋を炊飯器本体に再セットしたとき、このときに米計量スイッチを操作しても、米自体が水を含んでしまっているため、重量検出手段の出力から、米量を算出することはできず、その後の水量の目安を表示することができないという問題があった。
【００１０】
本発明は上記従来の課題を解決するもので、米量算出忘れによる水量の目安の表示不能を回避する炊飯器を提供することを目的としている。
【課題を解決するための手段】
【００１１】
本発明は上記目的を達成するために、上面が開口した炊飯器本体内に鍋を着脱自在に収納し、炊飯器本体を蓋により開閉自在に覆い、鍋を加熱する加熱手段の通電を制御手段により制御し、炊飯器本体内の鍋の着脱を鍋検知手段により検知し、鍋および鍋内の調理物の重量を重量検知手段により検知し、米量の算出を要求する要求手段からの信号入力による第１のタイミングで、算出手段により重量検知手段の出力信号より米量を算出し、また第１のタイミングより後に入力した重量検知手段の出力信号より第１のタイミングで算出した米量に最適な水量の目安を算出し、算出手段が算出した米量やその米量に最適な水量の目安を表示手段により表示し、鍋検知手段と要求手段からの信号を受け報知手段により報知を行うよう構成し、報知手段は、第１のタイミングより前に鍋検知手段により鍋を炊飯器本体内から抜き取られる第２のタイミングを検知したとき報知するよう構成したものである。
【００１２】
これにより、要求手段からの信号入力による第１のタイミングより前に、鍋が炊飯器本体内から抜き取られる第２のタイミングを検知したとき報知手段により報知するので、使用者はその報知を確認したとき、要求手段により米量の算出ができていないことを認知することができ、水量の目安の表示不能を回避することができる。
【発明の効果】
【００１３】
本発明の炊飯器は、要求手段からの信号入力による第１のタイミングより前に、鍋が炊飯器本体内から抜き取られる第２のタイミングを検知したとき報知手段が報知するので、使用者はその報知を確認したとき、要求手段により米量の算出ができていないことを認知することができ、水量の目安の表示不能を回避することができる。
【発明を実施するための最良の形態】
【００１４】
第１の発明は、上面が開口した炊飯器本体と、前記炊飯器本体内に着脱自在に収納される鍋と、前記炊飯器本体を開閉自在に覆う蓋と、前記鍋を加熱する加熱手段と、前記加熱手段の通電を制御する制御手段と、前記炊飯器本体内の前記鍋の着脱を検知する鍋検知手段と、前記鍋および鍋内の調理物の重量を検知する重量検知手段と、米量の算出を要求する要求手段と、前記要求手段からの信号入力による第１のタイミングで前記重量検知手段の出力信号より米量を算出し、また前記第１のタイミングより後に入力した前記重量検知手段の出力信号より前記第１のタイミングで算出した米量に最適な水量の目安を算出する算出手段と、前記算出手段が算出した米量やその米量に最適な水量の目安を表示する表示手段と、前記鍋検知手段と前記要求手段からの信号を受け報知を行う報知手段とを備え、前記報知手段は、前記第１のタイミングより前に前記鍋検知手段により前記鍋を前記炊飯器本体内から抜き取られる第２のタイミングを検知したとき報知するよう構成したものであり、使用者はその報知を確認したとき、要求手段により米量の算出ができていないことを認知でき、鍋を抜き取る前、すなわち洗米を行うよりも前に要求手段による米量の算出忘れを防止することができ、水量の目安の表示不能を回避することができる。
【００１５】
第２の発明は、上記第１の発明において、鍋検知手段は、重量検知手段の出力信号からの重量と所定値とを比較することにより鍋の着脱を判定する鍋重量判定手段で構成したものであり、重量検知手段の出力信号だけで鍋の着脱を検知できるので、少ない部品構成で鍋検知手段を実現でき、製品を軽量化できる。
【００１６】
第３の発明は、上記第１の発明において、算出手段は、第１のタイミングより前に第２のタイミングを検知したとき、要求手段からの信号入力がなくとも、第２のタイミングの直前の重量検知手段の出力信号より米量を算出するようにしたものであり、使用者が米量の算出を忘れたまま鍋を取り外したとき、その直前の重量検知手段の出力信号により米量を自動で算出し表示できる。
【００１７】
以下、本発明の実施の形態について図面を参照しながら説明する。なお、本実施の形態によって、本発明が限定されるものではない。
【００１８】
（実施の形態１）
図１は本発明の実施の形態１の炊飯器のブロック図を示し、図２は同炊飯器の一部切欠した側面図を示し、図３は同炊飯器の一部ブロック化した要部回路図を示し、図４は同炊飯器の操作・表示部の上面図を示すものである。なお、図面を簡潔にするために、電気的接続のためのリード線等は省略してある。
【００１９】
図２に示すように、炊飯器本体１０は、上面を開口し、その上面開口部を覆う蓋２０を開閉自在に設置している。炊飯器本体１０の収納部３０は上方の上枠３２と下方のコイルベース３１とで構成しており、収納部３０に磁性体製の鍋１２を着脱自在に収納するよう構成している。コイルベース３１の鍋１２の底部に対向する部分に鍋１２を誘導加熱する加熱コイル１３を配設している。
【００２０】
回路基板１４は、図１に示すように、加熱手段２０１を構成する駆動手段２０２、加熱手段２０１の通電を制御する制御手段２０３や、表示手段２０７などで構成し、加熱手段２０１を構成する加熱コイル１３の動作を制御して鍋１２を誘導加熱し、鍋１２内の調理物１９を加熱調理する。ここで、制御手段２０３は、図３に示すマイクロコンピュータ（以下、マイコンという）１００によって実現している。また、マイコン１００は米量などを算出する算出手段２０６も含んでいる。
【００２１】
算出手段２０６は、米量の算出を要求する要求手段２０８からの信号入力による第１のタイミングで重量検知手段４０の出力信号より米量を算出し、また第１のタイミングより後に入力した重量検知手段４の出力信号より第１のタイミングで算出した米量に最適な水量の目安を算出するよう構成している。表示手段２０７は算出手段２０６が算出した米量やその米量に最適な水量の目安を表示するものであり、詳細は後述する。報知手段２０９は鍋検知手段２０４と要求手段２０８からの信号を受け報知を行うものであり、この報知手段２０９は、第１のタイミングより前に鍋検知手段２０４により鍋１２を炊飯器本体１０内から抜き取られる第２のタイミングを検知したとき報知するよう構成している。なお、重量検知手段４０、鍋検知手段２０４などの詳細は後述する。
【００２２】
調理物１９は、炊飯前の米、米と水との混合物または炊き上がったご飯等である。この炊飯器は図示しない電源コードを有し、電源コードから商用電源が供給されたときに「電源オン」の状態になる。
【００２３】
鍋温度検知手段１５は、コイルベース３１の底部に配設し、鍋１２の温度を検知するもので、この鍋温度検知手段１５は、鍋１２が収納部３０に収納されると鍋１２の底の中央部に当接し、鍋１２の温度を検知することで調理物１９の温度を検知し、その出力を制御手段２０３に入力している。鍋検知スイッチ１６は鍋１２の着脱を検知する鍋検知手段２０４を構成し、鍋１２が炊飯器本体１０内の収納部３０に収納されているか否かを検知するもので、この鍋検知スイッチ１６は、炊飯器本体１０に剛体接続されたマイクロスイッチで構成し、鍋１２が収納部３０に収納されると、鍋温度検知手段１５の底に設けた突起部がマイクロスイッチを押下し、鍋検知スイッチ１６はオン信号を出力する。
【００２４】
蓋開閉検知手段２１は、蓋２０の開閉を検知するもので、この蓋開閉検知手段２１は炊飯器本体１０に設け、マイクロスイッチで構成し、蓋２０が開くと蓋２０のヒンジ部がマイクロスイッチを押下し、蓋開閉検知手段２１はオン信号を出力する。蓋開閉検知手段２１は、炊飯器の電源が入っている状態では常に動作しており、オン信号またはオフ信号を出力している。
【００２５】
重量検知手段４０は、鍋１２の重量を検知するもので、この重量検知手段４０の主要部は、支持部１７およびロードセル１８で構成し、ロードセル１８は、ロバーバル型のロードセル（荷重変換器）であり、炊飯器本体１０に剛体接続している。ロードセル１８に抵抗線ひずみゲージ（図示せず）を取り付けている。ロードセル１８が歪んだときのひずみゲージの抵抗変化をブリッジ回路で電気信号として取り出すよう構成している。
【００２６】
支持部１７は、薄板に３つの突起部を設けた形状を有し、薄板はロードセル１８の一端にねじ止めしている。支持部１７の突起部は、コイルベース３１の底部に設けた３つの孔をそれぞれ貫通しており、鍋１２が収納部３０に収納されていない場合、ロードセル１８は支持部１７の重量を検知する。鍋１２が収納部３０に収納されると、鍋１２の底部が支持部１７の突起部の先端に当接し、ロードセル１８が歪む。鍋１２が収納部３０に収納されると、ロードセル１８は、支持部１７、鍋１２および鍋１２の中の調理物１９の総重量を検知する。すなわち、重量検知手段４０は、鍋１２の底面を３点支持する支持部１７を通して、正確に鍋１２および被加熱物（調理物１９）の重量を測定するよう構成している。
【００２７】
鍋温度検知手段１５、鍋検知スイッチ１６、蓋開閉検知手段２１、重量検知手段４０からの電気信号は、それぞれ回路基板１４に入力される。
【００２８】
本実施の形態の炊飯器本体１０の前面には、図４に示すように、操作・表示部５０を設けている（図２では図示しない）。操作・表示部５０に、キー入力手段５１、水量表示部５２、液晶表示素子５３を配置している。キー入力手段５１として、米計量スイッチ５１ａ、保温スイッチ５１ｂ、タイマ予約を行う予約スイッチ５１ｃ、炊飯コースを選択するコーススイッチ５１ｄ、炊飯スイッチ５１ｅ、取消／切スイッチ５１ｆ、予約時刻（時と分）を合わせる時スイッチ５１ｇおよび分スイッチ５１ｈを配置している。キー入力手段５１はマイコン１００へ接続されている。
【００２９】
ここで、米計量スイッチ５１ａは、算出手段２０６へ算出要求を行う要求手段２０８として機能する。
【００３０】
水量表示部５２は、操作・表示部５０の上部に配置された５個のランプ５２ａ〜５２ｅを有する。ご飯の固さは米量および水量に依存する。鍋１２に米を入れた後、米計量スイッチ５１ａを押して米量を測定し、その後に水を入れる。本実施の形態の炊飯器は、使用者が鍋１２に入れた米量を測定し、米量および水量に対応するご飯の固さに応じて、水量表示部５２のランプ５２ａ〜５２ｅのうち該当するランプを点灯または点滅させる。ランプ５２ａの左上に「かため」、ランプ５２ｃの上に「ふつう」、ランプ５２ｅの右上に「やわらかめ」の文字が印刷されており、ユーザは、水量表示部５２を確認しながら、好みの固さのご飯を炊くための水加減を行うことができる。
【００３１】
液晶表示素子５３には、操作案内表示部５４および米量表示部５５、時刻表示部５６を配置している。操作案内表示部５４は、使用者が次に行うべき操作または現在の状態を表示するための表示部である。操作案内表示部５４には「水加減」表示部および「炊飯を押す」表示部を配置している。ユーザがつぎに行うべき操作は、各表示部の文字（「水加減」または「炊飯」の文字）の背景部分が黒く表示されることで示される。米量表示部５５は、鍋１２の絵と使用者が鍋１２に入れた米量（カップ数）の測定結果を表示する。
【００３２】
図４の表示例は、米および水の計量が終了した状態での表示である。鍋１２の絵と米量「２．３カップ」が米量表示部５５に表示されている。「炊飯を押す」表示部の「炊飯」の文字の背景が黒く表示され、ユーザに炊飯スイッチ５１ｅを押すことを促している。
【００３３】
このように液晶表示素子５３は表示手段２０７を構成し、米量表示部５５とそれ以外の表示部とから構成されている。
【００３４】
つぎに、図３に示すように、加熱コイル１３は、鍋１２を誘導加熱する。交流電源１２０から交流電力が供給され、ダイオードブリッジ１０２によって整流し、平滑コンデンサ１０３、共振コンデンサ１０４、スイッチング素子１０５、加熱コイル１３よりなるインバータ回路により誘導加熱のための高周波電力を発生させる。インバータ回路は駆動手段２０２を構成するドライブＩＣ１０７と誘導加熱制御用ＩＣ１０８によって駆動されている。
【００３５】
電源ＩＣ１０６は交流電源１２０から動作のための直流電源を各回路に供給している。交流電源１２０が開放されている場合は、電池１２１により直流電源を各回路に供給している。この電池１２１は主としてマイコン１００に内蔵しているＲＡＭの内容保持の目的に使用している。
【００３６】
サーミスタ１０９は底温度検知手段１５の中に内蔵されており、サーミスタ１０９が温度によって抵抗値が変化するのを利用して鍋１２の温度を検知している。水晶発振子１１０の発振によって、マイコン１００内のタイマをカウントして計時を行っている。そして、マイコン１００に入力された温度や計時している時間をもとに誘導加熱制御用ＩＣ１０８を制御することにより、鍋１２の加熱を制御して、炊飯を行っている。
【００３７】
蓋開閉検知スイッチ１１１は、蓋開閉検知手段２１を構成し、蓋２０が開くとスイッチがオフし、蓋２０が閉じるとスイッチがオンすることにより、蓋開閉の検知を行う。表示は液晶表示パネル５３並びにランプ５２によって行っている。
【００３８】
重量検知は、ロードセル１８からの信号は微小なのでオペアンプと抵抗よりなる差動増幅回路１１２によって増幅し、マイコン１００に入力するようにしている。ロードセル１８からの出力は、ロードセル１８にかかっている重量に比例している。マイコン１００では、この差動増幅回路１１２によって増幅した信号をマイコン１００に内蔵の１２ｂｉｔのＡＤ変換器でＡＤ変換し電圧信号を数値に変換している。本実施の形態の炊飯器では、１ＬＳＢあたり１ｇとなるように差動増幅回路１１２を調整している。よって、ＡＤ変換結果が１５００ならば、これは１５００ｇの信号に相当する。以下、各入力信号の値はこのＡＤ変換した値で説明する。
【００３９】
上記構成において重量検知の動作を説明する。重量検知手段４０の出力は、鍋１２が炊飯器本体１０に入っていない無負荷のときでも出力が出ている。重量検知手段４０の無負荷時のマイコン１００への入力を無負荷信号Ｚとし、マイコン１００のＲＡＭである記憶手段２０５に記憶する。さらに鍋１２が炊飯器本体１０にセットされているとき（鍋１２の中には何も入っていない空鍋状態）の入力をＮとするとき、無負荷信号Ｚとの差（Ｎ−Ｚ）が空鍋の重量分の信号となる。これを鍋検知信号Ｎ１とし記憶手段２０５に記憶する。
【００４０】
鍋１２が炊飯器本体１０にセットされており、鍋１２の中に調理物１９が入っている場合の重量検知手段４０のマイコン１００への入力をＭとすると、調理物１９の重量Ｍ１は、
Ｍ１＝Ｍ−Ｎ１−Ｚ・・・・・・（１）
となる。算出手段２０６は、この（１）式に従い、重量検知手段４０からの信号を重量値に変換する。また、１カップあたり約１５０ｇなので、算出した重量Ｍ１を１５０で割ることで、重量をカップ数に変換できる。要求手段２０８である米計量スイッチ５１ａを使用者が操作したとき、検出した重量をカップ数に変換することができる。
【００４１】
ここで、重量検知手段４０の無負荷時のマイコン１００への入力である無負荷信号Ｚはロードセル１８の経年劣化や室温などで出力値が変化する。その出力値の変化が重量検知の誤差の原因となる。そこで、重量検知直前に無負荷信号Ｚを入力することでロードセル１８の無負荷時の出力変化に対応し、誤差をなくすというゼロリセットが必要となってくる。本実施の形態では、蓋開閉検知手段２１によって蓋開を検知し、鍋検知スイッチ１６で鍋１２が炊飯器本体１０にセットされていないとき無負荷と判断して無負荷時の入力を行い、記憶手段２０５に記憶することによって、ゼロリセットしている。
【００４２】
鍋検知信号Ｎ１は、鍋１２が他のものと交換されない限り、ほとんど変化はない。よって、一度記憶手段２０５に記憶すると、毎回記憶をし直す必要はない。本実施の形態では、蓋開閉検知手段２１によって蓋開を検知し、鍋検知スイッチ１６で鍋１２を炊飯器本体１０にセットしていると判定しているときに、計量スイッチ５１ａを５秒以上連続で押すことで、記憶手段２０５はそのときの入力Ｎから無負荷信号Ｚとの差である鍋検知信号Ｎ１を算出し記憶している。
【００４３】
このように、要求手段２０８である米計量スイッチ５１ａを操作したとき、算出手段２０６は（１）式に従い、調理物１９を米の重量Ｍ１として算出するともにカップ数としても算出し、米量表示部５５に表示する。さらに、米計量スイッチ５１ａを操作した後は、その後の重量増加分を使用者による水の投入とし、その米量に対する水量の目安表示を、水量表示部５２のランプ５２ａ〜５２ｅに表示する。ここで、米計量スイッチ５１ａの操作後の水の重量Ｍ２は次のようにして計算できる。
【００４４】
Ｍ２＝Ｍ−Ｎ１−Ｚ−Ｍ１・・・・・（２）
つまり、米計量スイッチ５１ａの操作時点で調理物１９の重量は米の重量Ｍ１として算出されているので、その後の調理物１９の重量から米の重量Ｍ１を差し引いたものとなる。
【００４５】
さて、マイコン１００内のＲＯＭ上には様々な米量に対して最適な標準水量（重量値）が予め記憶されており、米量が決定すると、自動で最適な標準水量の重量Ｍｔが決定される。例えば、２カップ＝３００ｇに対しては最適な標準水量の重量Ｍｔは４５０ｇというふうに決定される。
【００４６】
標準水量の重量Ｍｔが定まった後は、水の重量Ｍ２の値により（表１）の該当する条件によりランプ５２ａ〜５２ｅを点灯または点滅表示する。
【００４７】
【表１】
2007313183.tif 000003
【００４８】
例えば、２カップ＝３００ｇに対しては最適な標準水量の重量Ｍｔは４５０ｇなので、Ｍ２が４２０ｇであるならば（表１）の（Ｍｔ×０．９１）≦Ｍ２＜（Ｍｔ×０．９４）の範囲になるので、炊き上がりのご飯の硬さが硬めを示す「かため」ランプ５２ａが点灯し、４４８ｇであるならば（表１）の（Ｍｔ×０．９７）≦Ｍ２＜（Ｍｔ×１．０３）の範囲となるため、炊き上がりが標準の硬さを示す「ふつう」のランプ５２ｃが点灯する。
【００４９】
このように米計量スイッチ５１ａの操作後は、鍋１２内に水を投入したとき、炊き上がり時のご飯の硬さを表す水量の目安を表示することができる。なお、（表１）のＭ２＜（Ｍｔ×０．９１）の条件時、硬めを示す「かため」ランプ５２ａが点滅しているが、これはこの条件であるときは、水の量が少なすぎてうまく炊けないことを表している。
【００５０】
ふつう使用者は米計量スイッチ５１ａを操作した後は、鍋１２内の米を洗米するため、一旦炊飯器本体１０内から鍋１２ごと取り出す。ここで、米計量スイッチ５１ａを操作する前に、鍋１２を炊飯器本体１０内から取り出し、鍋１２内の米を洗米してしまうと、鍋１２内の米は水分を含んでしまうため、米の重量Ｍ１を算出することができなくなってしまい、結果炊き上がり時のご飯の硬さを表す水量の目安も表示できなくなってしまう。そこで、本発明の炊飯器では、米計量スイッチ５１ａを操作する前に鍋１２を取り出したときに、報知手段２０８で報知するようにしている。このときの動作を図５のフローチャートを用いて説明する。なお、報知手段２０８はマイコン１００がブザー１１３に鳴動信号を出力する構成としている。
【００５１】
まず、ステップＳ１で初期動作として、算出手段２０６が算出する米量のデータを初期化する。ここでは、０カップ（０ｇ）をセットすることとする。続いて、ステップＳ２で鍋スイッチ１６はオフ状態かどうか判定し、オフ状態ならばステップＳ３へ進み、そうでなければステップＳ７へ進む。ステップＳ２で鍋検知スイッチ１６がオフであるということは、鍋１２が炊飯器本体１０内にはないということになる。ステップＳ３ではさらに鍋検知スイッチ１６がオンからオフに変化したのか判定する。オンからオフに変化ということは、鍋１２が炊飯器本体１０内から取り出された直後ということになる。
【００５２】
ステップＳ３でオンからオフに変化したのであればステップＳ４へ進み、そうでなければステップＳ２へ戻る。ステップＳ４では、米量算出がされているかどうかを判定し、されているならステップＳ２に戻り、されてなければステップＳ５に進み、ブザー１１３を鳴動し、ステップＳ２へ戻る。
【００５３】
ステップＳ２で鍋スイッチ１６がオンであったとき、すなわち鍋１２が炊飯器本体１０内にあると判定されたときはステップＳ７へ進み、米計量スイッチ５１ａが操作されたかどうか判定する。操作されたならばステップＳ８へ進み、操作されていなければステップＳ９へ進む。ステップＳ８では算出手段２０６が（１）式により重量検知手段４０からの入力により米量を算出する。ステップＳ９では米量が算出済みなのかどうかを判定し、算出済みならステップＳ１０へ進み、算出がまだならステップＳ１１へ進む。一度でも米計量スイッチ５１ａを操作すれば、ステップＳ８で米量が算出されるため、ステップＳ１０へ進むこととなる。
【００５４】
ステップＳ１０では、算出した米量をもとに算出手段２０６が（２）式に基づき水量を算出する。ステップＳ１１では、炊飯スイッチ５１ｅが操作され、炊飯開始を行うかの判定を行う。操作されてないならステップＳ２へ戻り、操作されたならば炊飯を開始する。
【００５５】
このように炊飯開始の判定はステップＳ２で鍋１２が炊飯器本体１０内にあることを確認した後のみ行っているので、鍋１２が炊飯器本体１０内にないときは、炊飯は開始できないようにできる。
【００５６】
このように、鍋１２が炊飯器本体１０内から取り出されたとき、米計量スイッチ５１ａが一度でも操作され米量が算出されているなら、ブザー１１３は鳴動しないが、算出されていないなら鳴動を行うものである。よって、使用者が鍋１２を取り出したときに、ブザー１１３が鳴動しているときは、米計量スイッチ５１ａの押し忘れということが認知でき、押し忘れを防止することができる。
【００５７】
以上のように、本実施の形態においては、報知手段２０９は、第１のタイミングより前に鍋検知手段２０４により鍋１２を炊飯器本体１０内から抜き取られる第２のタイミングを検知したとき報知するよう構成したので、使用者はその報知を確認したとき、要求手段２０８により米量の算出ができていないことを認知でき、鍋１２を抜き取る前、すなわち洗米を行うよりも前に要求手段２０８による米量の算出忘れを防止することができ、水量の目安の表示不能を回避することができる。
【００５８】
（実施の形態２）
図６は本発明の実施の形態２の炊飯器のブロック図を示すものである。
【００５９】
図６に示すように、鍋検知手段２０４は、重量検知手段４０の出力信号からの重量と所定値とを比較することにより鍋１２の着脱を判定する鍋重量判定手段２１０で構成している。他の構成は上記実施の形態１と同じであり、同一符号を付して説明を省略する。
【００６０】
上記構成において動作を説明する。鍋重量判定手段２１０は、重量検知手段４０からの信号をマイコン１００が受け取り、空の状態の鍋１２をセットしているときの信号より小さい値をしきい値として、そのしきい値より、大きい信号を受けているときは「鍋あり」、小さい信号を受けているときは、「鍋なし」と判定することで実現できる。
【００６１】
以上のように、本実施の形態においては、鍋検知手段２０４は、重量検知手段４０の出力信号からの重量と所定値とを比較することにより鍋１２の着脱を判定する鍋重量判定手段２１０で構成しているので、鍋検知手段２０４をマイコン１００で実現できるので、鍋検知スイッチ１６を設ける必要がなく、重量検知手段４０の出力信号だけで鍋１２の着脱を検知できるので、少ない部品構成で鍋検知手段２０４を実現でき、製品を軽量化できる。
【００６２】
（実施の形態３）
図１に示す算出手段２０６は、第１のタイミングより前に第２のタイミングを検知したとき、要求手段２０８からの信号入力がなくとも、第２のタイミングの直前の重量検知手段４０の出力信号、すなわち、鍋検知手段２０４が鍋１２の有りから無し状態を検知したとき、例えばその１秒前といった確実に鍋１２がセットされていたときの重量検知手段４０からの出力信号を基に米量を算出するようにしている。他の構成は上記実施の形態１と同じである。
【００６３】
上記構成において動作を説明する。使用者が要求手段２０８を操作していなくても、鍋１２を炊飯器本体１０内から取り出したときに自動で確実に鍋１２がセットされていたときの重量検知手段４０からの信号を基に米量を算出することができる。
【００６４】
以上のように、本実施の形態においては、算出手段２０６は、第１のタイミングより前に第２のタイミングを検知したとき、要求手段２０８からの信号入力がなくとも、第２のタイミングの直前の重量検知手段４０の出力信号より米量を算出するようにしたので、使用者が米量の算出を忘れたまま鍋１２を取り外したとき、その直前の重量検知手段４０の出力信号により米量を自動で算出し表示できる。
【産業上の利用可能性】
【００６５】
以上のように、本発明にかかる炊飯器は、要求手段からの信号入力による第１のタイミングより前に、鍋が炊飯器本体内から抜き取られる第２のタイミングを検知したとき報知手段が報知するので、使用者はその報知を確認したとき、要求手段により米量の算出ができていないことを認知することができ、水量の目安の表示不能を回避することができるので、鍋に入れた調理物の重量を検知する機能を有する炊飯器として有用である。
【図面の簡単な説明】
【００６６】
【図１】本発明の実施の形態１の炊飯器のブロック図
【図２】同炊飯器の一部切欠した側面図
【図３】同炊飯器の一部ブロック化した要部回路図
【図４】同炊飯器の操作・表示部の拡大上面図
【図５】同炊飯器の報知手段の動作フローチャート
【図６】本発明の実施の形態２の炊飯器のブロック図
【符号の説明】
【００６７】
１０  炊飯器本体
１２  鍋
２０  蓋
４０  重量検知手段
２０１  加熱手段
２０３  制御手段
２０４  鍋検知手段
２０６  算出手段
２０７  表示手段
２０８  要求手段
２０９  報知手段
【図１】
2007313183.tif 000004
【図２】
2007313183.tif 000005
【図３】
2007313183.tif 000006
【図５】
2007313183.tif 000007
【図６】
2007313183.tif 000008
【図４】
2007313183.tif 000009